(57)【要約】【課題】無線接続通信システムにおいてスリープモードを制御する方法を提供する。【解決手段】スリープモードの制御のための所定数のスリープ周期設定情報を基地局と加入者端末が共有し、基地局が加入者端末に与えた所定の連結識別子及びスリープ周期設定情報を用いてページング位置を設定するため、加入者端末のスリープインターバルを基地局で管理し易くなる。また、加入者端末がスリープモードへ状態繊維するときにスリープインターバルスケジューリングのための情報を伝送しないため、加入者端末と基地局との間のトラヒック量を減少させることが可能になる。【選択図】図４
2005080312.tif 000002
【特許請求の範囲】
【請求項１】
基地局と加入者端末を含む無線接続通信システムのスリープモード制御方法であって、
ａ)基地局に接続した加入者端末に、それらの加入者端末をグルーピングするためのグループ識別子を与えるステップと、
ｂ)スリープモードへの状態遷移を要請した加入者端末と基地局との間のネゴを通じて、スリープ周期制御のために既に設定された複数のインデックス値の中で１つを当該加入者端末に割り当てるステップと、
ｃ)当該スリープモードへの状態遷移を要請した加入者端末のグループ識別子及びインデックス値を用いてリスニングポジションを決定するステップと、
からなることを特徴とする方法。
【請求項２】
前記グループ識別子は、スリープモードの開始時点を決定するためのものであることを特徴とする請求項１に記載の方法。
【請求項３】
前記グループ識別子は、固有の連結識別子を使用することを特徴とする請求項２に記載の方法。
【請求項４】
前記インデックス値は、予め設定された複数のインデックス値の中で任意の１つを加入者端末が選択し要求するときに、基地局の応答により決定されることを特徴とする請求項１に記載の方法。
【請求項５】
前記インデックス値は、既に設定されたスリープ周期単位時間の倍数で適用されてリスニングポジションを決定することを特徴とする請求項１に記載の方法。
【請求項６】
ステップｃ)は、前記加入者端末と基地局により同時に独立して遂行されることを特徴とする請求項１に記載の方法。
【請求項７】
ステップｃ)は、下記の式を使用することを特徴とする請求項６に記載の方法。
Ｓｂ＊(ＳＩ＋１)＝ＦＮ ｍｏｄ(Ｆ＊(ＳＩ＋１))
ただし、式中、Ｓｂはグループ識別子、ＳＩはインデックス値、Ｆは既に設定されたスリープ単位時間、ＦＮはリスニングポジションに対応するフレーム番号をそれぞれ表す。
【請求項８】
前記リスニングポジションに対応する時間に、該当加入者端末の連結識別子を含むトラヒック指示メッセージを生成して伝送するステップをさらに含むことを特徴とする請求項１乃至７のいずれか１項に記載の方法。
【発明の詳細な説明】
【技術分野】
【０００１】
本発明は、無線接続通信システムに関し、特に、無線接続通信システムのスリープモード制御方法に関する。
【背景技術】
【０００２】
従来のセルラー(cellular)網[例えば、ＣＤＭＡ(Code Division Multiplex Access)網、ＧＳＭ(Global System for Mobile communication)網など]では、スリープモード(sleep mode)を達成するためにスロッテッドページング(slotted paging)方式を使用してきた。すなわち、従来のセルラー網で動作する端末は、アクティブモード(active mode)でない場合には、パワー(power)の消費を抑えるスリープモードに移行する。また、このスリープモード中に、端末は周期的に目覚めて(awake)、自分に送られてきたメッセージ(message)の有無を確認し、自分に送られてきたメッセージがある場合にのみアクティブモードへ状態遷移し、そうでない場合には、再びスリープモードに入る。
【０００３】
このとき、基地局と端末との間には、端末自身が確認すべきページングスロット(paging slot)が定められており、よって、各端末は、約束されたページングスロットにのみ目覚めて自分のページングメッセージ(paging message)を確認すればよかった。例えば、ＣＤＭＡの場合にはページングスロットが定められているし、ＧＳＭの場合にはページンググループ(paging group)が定められているため、ＣＤＭＡ及びＧＳＭの各端末は、一定の時間ごとに周期的に目覚めればよく、その時間は、システムにより定められる固定された値であるので、システムでの実現及び管理が容易であった。
【０００４】
しかしながら、高速サービスを支援する目的から盛んに研究及び開発されつつある無線接続通信システム(一名“４世代(４th Generation；４Ｇ)通信システム”とも呼ばれる。)では、スリープモードを制御することが難しい。これは、ＩＥＥＥ ８０２．１６ａ通信システムに加入者端末機の移動性を考慮したシステムであるＩＥＥＥ ８０２．１６ｅ通信システムで提案するスリープモードでは、スリープインターバル(sleep interval)が２の指数乗で(exponentially)増加する方式を使用するからである。すなわち、ＩＥＥＥ ８０２．１６ｅ通信システムでは、スリープインターバルが初期スリープインターバルの２の指数乗(または、以前のスリープインターバルの２倍)で増加する方式を使用することから、複数の加入者端末それぞれのスリープモード開始時点(start time)とスリープインターバル(sleep interval)、そして目覚める時点を管理することが容易ではなく、スリープモードの制御が難しい。
【０００５】
図１は、従来のＩＥＥＥ ８０２．１６ｅ通信システムで提案しているスリープモード制御方法についての概略的なフローチャートである。通常、ＩＥＥＥ ８０２．１６ｅ通信システムのスリープモードは、加入者端末の要求または基地局の制御によって開始されるが、図１には、加入者端末の要求によってスリープモードの制御が開始される方法を示している。
【０００６】
図１を参照すると、スリープモードに入ろうとする加入者端末１０は、スリープ要請メッセージ(SLP-REQ message)を基地局２０に伝送する(ステップＳ３１)。このとき、加入者端末は、自分が所望するスリープインターバル(sleep interval)区間の最小サイズ(minimum size)値(例えば、最小ウィンド(min-window))と最大サイズ(maximum size)値(例えば、最大ウィンド(max-window))、そして、該当端末が目覚めて自分に送られてくるメッセージを確認する時区間である監視区間(listening interval)値を送る。これら値の単位は、フレーム(frame)である。
【０００７】
そうすると、前記ＳＬＰ−ＲＥＱメッセージを受信した基地局２０は、既に設定されたスリープ制御情報(例えば、許容可能な最小ウィンド、最大ウィンド、及び監視区間など)を参照して、スリープ時間スケジューリングを遂行した後に(ステップＳ３２)、加入者端末１０にスリープ応答メッセージ(ＳＬＰ−ＲＳＰ message)を送る(ステップＳ３３)。このとき、加入者端末１０がスリープモードに入る時間まで残っているフレーム数(start-time；以下、‘開始時点’と称する。)、基地局で承認された最小ウィンド(min-window)、最大ウィンド(max-window)、及び監視区間(listening interval)値を送る。これら値の単位もまた、フレーム(frame)である。
【０００８】
一方、このＳＬＰ−ＲＳＰメッセージを受信した加入者端末１０は、ＳＬＰ−ＲＳＰメッセージに含まれている開始時点(start time)にスリープモードに入る(ステップＳ３４)。そして、加入者端末１０は、スリープインターバル(sleep interval)が経過した後に目覚めて、基地局２０から自分が受信すべきＰＤＵデータがあるかを確認する。すなわち、スリープインターバル(sleep interval)が経過すれば、加入者端末１０は、アウェイクモード(awake mode)に入り(ステップＳ３５)、監視区間(listening interval)の間に基地局２０によりブロードキャスティング(broadcasting)されるトラヒック指示メッセージ(traffic-indication message；ＴＲＦ−ＩＮＤメッセージ、一名‘ページングメッセージ’とも呼ばれる。)を確認する(ステップＳ３６)。ＴＲＦ−ＩＮＤメッセージは、基地局２０が加入者端末１０にブロードキャスティングする情報であって、ＴＲＦ−ＩＮＤメッセージには、ＰＤＵデータを伝送すべき端末の基本ＣＩＤ(basic connection identification)が含まれている。
【０００９】
一方、加入者端末１０は、ＴＲＦ−ＩＮＤメッセージの内に自分の基本ＣＩＤが含まれているか否かを判断し、この結果によって目覚めるか否かを決定する。すなわち、加入者端末１０は、自分が受信したＴＲＦ−ＩＮＤメッセージの内に自分の基本ＣＩＤが含まれていると、自分が受信すべきＰＤＵがあるものを認識して目覚める。すなわち、加入者端末１０が受信したＴＲＦ−ＩＮＤメッセージが、ポジティブ・トラヒック・インディケーション(positive traffic indication)であれば(ステップＳ３７)、加入者端末１０の状態をアクティブモードへ遷移する(ステップＳ３８)。
【００１０】
一方、加入者端末１０は、自分が受信したＴＲＦ−ＩＮＤメッセージの内に自分の基本ＣＩＤが含まれていないと、自分に入力されるＰＤＵデータがないと判断し、スリープモードへ再び入る。すなわち、加入者端末１０が受信したＴＲＦ−ＩＮＤメッセージがネガティブ・トラヒック・インディケーション(negative traffic indication)であれば、加入者端末１０の状態をスリープモードへ遷移した後に(ステップＳ３４)、スリープインターバルの間に、該当加入者端末１０はスリープモードを保持する。
【００１１】
このとき、加入者端末１０は、スリープインターバルを以前のスリープインターバルの２倍に増加させた後に(ステップＳ３９)、そのスリープインターバルの間にスリープモードを保持する(ステップＳ３４)。加入者端末１０は、加入者端末の状態がアクティブモードになるときまでスリープモードとアウェイクモードを繰り返し行うが、その繰り返し周期ごとにスリープインターバルを以前のスリープインターバルの２倍に増加させるものの、基地局２０が加入者端末１０に許容した最大ウィンドになるときまで増加させる。このように、ＩＥＥＥ ８０２．１６ｅ通信システムでは、スリープ・アップデート・アルゴリズムに基づいてスリープインターバルを以前のスリープインターバルの２倍に延ばしつつスリープモードを駆動する。従って、ＩＥＥＥ ８０２．１６ｅ通信システムでは、スリープインターバル(sleep interval)が２の指数乗で(exponentially)増加するため、基地局が複数の加入者端末それぞれのスリープ区間を一括して管理し難くなるのである。
【００１２】
一方、ＩＥＥＥ ８０２．１６ｅ通信システムにおいて、加入者端末がスリープモードへ入るために加入者端末と基地局との間に定義されたメッセージ(message)には、３つのものがある。すなわち、スリープ要請メッセージ(SLP-REQ message；SLeeP REQuest message)と、スリープ応答メッセージ(ＳＬＰ−ＲＳＰ message: SLeeP ReSPonse message)と、トラヒック指示メッセージ(TRF-IND message: TRaFfic INDication message)がそれである。 
【００１３】
このようにスリープモードを制御するために基地局と端末との間に送受信されるメッセージフォーマットが、図２Ａ乃至図２Ｄに示されている。つまり、図２Ａは、スリープ要請メッセージ４０のフォーマットを示し、図２Ｂは、スリープを拒否するときのスリープ応答メッセージ５０ａのフォーマットを示し、図２Ｃは、スリープを承認するときのスリープ応答メッセージ５０ｂのフォーマットを示し、図２Ｄは、トラヒック指示メッセージ６０のフォーマットを示す。
【００１４】
図２Ａを参照すると、ＳＬＰ−ＲＥＱメッセージ４０は、管理メッセージタイプ(MENAGEMENT MESSAGE TYPE)(８bits)４１、最小ウィンド(MIN-WINDOW)(６bits)４２、最大ウィンド(MAX-WINDOW)(１０bits)４３及び監視区間(LISTENING INTERVAL)(８bits)４４を備える。ＳＬＰ−ＲＥＱメッセージ４０は、加入者端末機の連結識別子(Connection ID；ＣＩＤ)を基準にして伝送される専用メッセージ(dedicated message)であって、加入者端末がスリープ(sleep)すると要請するメッセージである。
【００１５】
ここで、管理メッセージタイプ(MANAGEMENT MESSAGE TYPE)４１は、現在伝送されているメッセージのタイプを示す情報であって、管理メッセージタイプが‘４５’である場合(MANAGEMENT MESSAGE TYPE＝４５)に、該当メッセージがＳＬＰ−ＲＥＱメッセージであることを示す。管理メッセージタイプ４１は、８ビット(bits)で構成される。
【００１６】
最小ウィンド(MIN-WINDOW)(一名‘最小時区間’とも呼ばれる。)４２は、スリープインターバルのために要求された開始値(requested start value for the SLEEP INTERVAL(measured in frames))を示し、最大ウィンド(MAX-WINDOW)(一名‘最大時区間’とも呼ばれる)４３は、スリープインターバルのために要求された終了値(requested stop value for the SLEEP INTERVAL(measured in frames))を示す。すなわち、スリープインターバルは最小ウィンド４２の値からこの最大ウィンド４３の値まで最小ウィンド値の２倍ずつ増加しつつアップデートされる。
【００１７】
監視区間(LISTENING INTERVAL)４４は、要求された監視区間(requested LISTENING INTERVAL(measured in frames))を示す。
【００１８】
ここで、最小ウィンド４２、最大ウィンド４３、及び監視区間４４はいずれも、フレーム単位に設定される。
【００１９】
図２Ｂを参照すると、スリープ要請を拒否するときに使用されるＳＬＰ−ＲＳＰメッセージ５０ａは、管理メッセージタイプ(８bits)５１ａ、スリープ許諾領域(SLEEP-APPROVED)(１bits)５２ａ、及び予約領域(RESERVED)(７bits)５３ａを含む。このＳＬＰ−ＲＳＰメッセージ５０ａもまた、加入者端末機の連結識別子を基準にして伝送される専用メッセージであって、基地局で加入者端末のスリーブ時間をスケジューリング(scheduling)した後に加入者端末のスリープタイミング(sleep timing)を定めるメッセージである。
【００２０】
ここで、管理メッセージタイプ５１ａは、現在伝送されているメッセージのタイプを示す情報であって、この管理メッセージタイプが４６である場合(MANAGEMENT MESSAGE TYPE＝４８)に、該当メッセージがＳＬＰ−ＲＳＰメッセージであることを示す。
【００２１】
スリープ許諾領域(SLEEP-APPROVED)５２ａは１ビットで表現され、スリープ許諾領域５２ａが“０”であれば、スリープモードへの遷移が不能(SLEEP-MODE REQUEST DENIED)であることを示す。
【００２２】
予約領域(RESERVED)５３ａは、予備領域である。
【００２３】
図２Ｃを参照すると、スリープ要請を基地局が承認(approve)する場合、加入者端末に伝送するＳＬＰ−ＲＳＰメッセージ５０ｂは、管理メッセージタイプ(８bits)５１ｂ、スリープ許諾領域(SLEEP-APPROVED)(１bits)５２ｂ、開始時点(START-TIME)(７bits)５３ｂ、最小ウィンド(MIN-WINDOW)５４ｂ、最大ウィンド(MAX-WINDOW)５５ｂ、及び監視区間(LISTENING INTERVAL)５６ｂを含む。
【００２４】
ここで、管理メッセージタイプ５１ｂは、現在伝送されているメッセージのタイプを示す情報であって、前記管理メッセージタイプが４６である場合(MANAGEMENT MESSAGE TYPE＝４６)に、該当メッセージがスリープ応答メッセージであることを示す。
【００２５】
スリープ許諾領域(SLEEP-APPROVED)５２ｂは、１ビットで表現され、このスリープ許諾領域５２ａが“１”であれば、スリープモードへの遷移が可能であること(SLEEP-MODE REQUEST APPROVED)を示す。
【００２６】
開始時点(START TIME)５３ｂは、加入者端末機が第１スリープインターバル(the first SLEEP INTERVAL)へ入る時点までのフレーム値であって、前記スリープ応答メッセージが入力されたフレームは含まれない。すなわち、前記加入者端末機は、前記スリープ応答メッセージが入力されたフレームの次のフレームから前記開始時点(START TIME)に該当するフレームが経過した後にスリープモードへ状態遷移するようになる。
【００２７】
最小ウィンド５４ｂは、スリープインターバルのための開始値(start value for the SLEEP INTERVAL(measured in frames))を示し、最大ウィンド５５ｂは、スリープインターバルのための終了値(stop value for the SLEEP INTERVAL(measured in frames))を示す。監視区間５６ｂは、監視区間(LISTENING INTERVAL)のための値(value for LISTENING INTERVAL(measured in frames))である。
【００２８】
図２Ｄを参照すると、ＴＲＦ−ＩＮＤメッセージ６０は、管理メッセージタイプ(８bits)６１、ポジティブ加入者の個数(NUM-POSITIVE)(８bits)６２、ポジティブ加入者それぞれの連結識別子ＣＩＤ(１６bits)６３，６４を備える。このように構成されるＴＲＦ−ＩＮＤメッセージ６０は、ＳＬＰ−ＲＥＱメッセージ及びＳＬＰ−ＲＳＰメッセージとは異なり、ブロードキャスティング(broadcasting)方式にて伝送される。
【００２９】
まず、管理メッセージタイプ６１は、現在伝送されているメッセージのタイプを示す情報であって、前記管理メッセージタイプ６１が４７である場合(MANAGEMENT MESSAGETYPE=４７)に、該当メッセージが前記ＴＲＦ−ＩＮＤメッセージであることを示す。
【００３０】
ポジティブ加入者の個数６２は、パケットデータが伝送される加入者端末機の個数を示し、ポジティブ加入者それぞれの連結識別子(ＣＩＤ)６３，６４は前記ポジティブ加入者の個数に該当する数の連結識別子情報を含む。
【００３１】
図３は、ＩＥＥＥ８０２．１６ｅ通信システムで提案しているスリープ区間アップデートアルゴリズムを説明するための図である。図３において、‘ＳＳ’は加入者端末、‘ＢＳ'は基地局であり、‘ＳＳ'及び‘ＢＳ'が同時に記載されたボックスは、フレームである。
【００３２】
図３には、ｎ番目のフレームで加入者端末(ＳＳ)が基地局(ＢＳ)にスリープモードを要請し(ステップＳ７１)、ｎ＋１番目のフレームで基地局(ＢＳ)がスリープモード開始時点をｎ＋３番目のフレームと指定し、そのスリープモードの要請に応答した場合(ステップＳ７２)、加入者端末(ＳＳ)がスリープインターバルと監視区間を繰り返す過程が示されている。図３を参照すると、最初のスリープインターバルは、２本のフレームで構成されるが、２番目のスリープインターバルは最初のスリープインターバルの２倍である４本のフレームで構成されることがわかる。
【００３３】
このように、通常のＩＥＥＥ８０２．１６ｅ通信システムは、加入者端末が相異なる時点でスリープを要請し、加入者端末のスリープインターバルが２の指数乗で(exponentially)増加するので、加入者端末のスリープインターバルを基地局で管理することが難しいのみならず、加入者端末をグルーピングして管理することが難しい、という欠点があった。
【発明の開示】
【発明が解決しようとする課題】
【００３４】
本発明は、上記の事情に鑑みてなされたものであり、無線接続通信システムにおいて加入者端末のスリープインターバルを基地局で容易に管理することができるスリープモード制御方法を提供することを目的とする。
【００３５】
また、本発明は、無線接続通信システムの基地局で加入者端末をグルーピングして管理することによって、ブロードキャスティングメッセージの伝送のためのデータトラヒック量を減少させるスリープモード制御方法を提供することを目的とする。
【００３６】
また、本発明は、加入者端末がスリープモードへ状態遷移するときに、スリープインターバルスケジューリングのための情報を伝送しないことによって、加入者端末と基地局との間のトラヒック量を減少させるスリープモード制御方法を提供することにある。
【課題を解決するための手段】
【００３７】
上記の目的を達成すべく、本発明で提供する無線接続通信システムのスリープモード制御方法は、基地局と加入者端末を含む無線接続通信システムのスリープモード(sleep mode)制御方法であって、ａ)基地局に接続した加入者端末に、それらの加入者端末をグルーピングするためのグループ識別子を与えるステップと、ｂ)スリープモードへの状態遷移を要請した加入者端末と基地局との間のネゴを通じて、スリープ周期制御のために既に設定された複数のインデックス値の中で１つを当該加入者端末に割り当てるステップと、ｃ)当該スリープモードへの状態遷移を要請した加入者端末のグループ識別子及びインデックス値を用いてリスニングポジションを決定するステップと、からなることを特徴とする。
【発明の効果】
【００３８】
本発明に従う無線接続通信システムのスリープモード制御システム及びその方法によれば、スリープモードの制御のための所定数のスリープ周期設定情報を基地局と加入者端末が共有し、基地局が加入者端末に与えた所定の連結識別子及びこのスリープ周期設定情報を用いてページング位置を設定するため、加入者端末のスリープインターバルを基地局で管理することが容易になる。また、加入者端末がスリープモードへの状態遷移を遂行するときに、スリープインターバルスケジューリングのための情報を伝送しないため、加入者端末と基地局との間のトラヒック量を減少させることが可能になる。
【発明を実施するための最良の形態】
【００３９】
以下、本発明の好適な実施形態について、添付図面を参照しつつ詳細に説明する。下記の説明において、本発明の要旨のみを明瞭するために、公知の機能や構成についての詳細な説明は省略する。なお、図面中、同一の構成要素及び部分には、可能な限り同一の参照符号及び番号を共通使用するものとする。
【００４０】
図４は、本発明の一実施の形態に従ってスリープモードを制御するために基地局と端末との間で行われる処理過程を示すフローチャートである。
【００４１】
図４を参照すると、本発明の一実施の形態に従ってスリープモードを制御するために、無線接続通信システムの基地局と加入者端末は、スリープ周期制御のために、既に設定された複数のインデックス値(Sleep period Index；ＳＩ)(以下、‘インデックス値’と称する。)を共有する過程(図示せず)が先行されなければならない。このとき、インデックス値(ＳＩ)は、既に設定されたスリープ単位時間(例えば、フレーム(２５６frames)(Ｆ))の倍数値であり、２ビットの値で表現される４個の数(００，０１，１０，１１)に設定することが好ましい。すなわち、基地局と加入者端末は、この４個の数が‘インデックス値’として使用されることを予め知っていなければならない。
【００４２】
このインデックス値(ＳＩ)とスリープ周期(Ｐ)との関係は、式１の通りである。
［式１］
Ｐ＝Ｆ＊(ＳＩ＋１)
【００４３】
ここで、‘Ｐ’は、対応する加入者端末に設定されたスリープ周期を示し、‘Ｆ’は、既に設定されたスリープ単位時間を示し、‘ＳＩ’は、加入者に割り当てられたインデックス値を示す。例えば、既に設定されたスリープ単位時間が‘２５６frames’である場合、スリープ周期設定情報(例えば、前記インデックス値)が‘００(０１０)’であるときに、基地局が加入者端末にブロードキャスティングメッセージを伝送し、加入者端末が目覚めてメッセージを確認するスリープ周期は、‘２５６frames(=２５６frames*(０+１))’であり、スリープ周期設定情報(例えば、前記インデックス値)が‘０１(１１０)’であるときに、このスリープ周期は、‘５１２frames(=２５６frames*(１+１))’であり、スリープ周期設定情報(例えば、前記インデックス値)が‘１０２１０’であるときに、このスリープ周期は‘７６8frames(=２５６frames*(２+１))’であり、スリープ周期設定情報(例えば、前記インデックス値)が‘１１(３１０)’であるときに、このスリープ周期は‘１０２４frames(=２５６frames*(３+１))’である。
【００４４】
このように、基地局２００及び加入者端末１００がスリープ周期設定情報を共有した状態で加入者端末１００が基地局２００に接続されると(ステップＳ１０５)、基地局２００は、その加入者端末１００に所定の連結識別子(ＢＣＩＤ；Basic Connection ID)を与える(ステップＳ１１０，Ｓ１１５)。このとき、初期のすべての端末が同一のスリープ周期設定情報(ＳＩ)に初期化されたと仮定する場合、基地局２００は、スリープ開始時点が同一なグループに分類する端末に、前記連結識別子の所定の桁数を同様に与える。例えば、基地局は、通常、加入者端末の連結識別子を構成する１６ビットの値の中で下位８ビットをスリープ開始時点が同一なグループに分類するための値(例えば、グループ識別子)として設定する。従って、基地局から下位８ビットの値が同一な連結識別子が割り当てられた加入者端末は、同一の時点にスリープモードの動作を開始する。また、前記グループに分類するための別途のビット値を生成して加えることもできる。さらに、加入者端末１００によるスリープモードへの状態遷移の要請を待機する。この場合、スリープ開始時点が同一なグループの最大の数は、２８＊４(ＳＩの個数)(＝１０２４)となる。
【００４５】
一方、加入者端末１００がスリープモードに状態遷移すべく、前記インデックス値(例えば、‘００’，‘０１’，‘１０’，‘１１’)の中で１つを選択した後に、そのインデックス値を含むスリープ要請メッセージ(SLP-REQ message)を基地局２００に伝送する(ステップＳ１２０)。このとき、‘インデックス値'の定義は、上述した通りである。
【００４６】
そうすると、このＳＬＰ−ＲＥＱメッセージを受信した基地局２００は、そのスリープモードへの状態遷移の要請(sleep request)に応答する応答メッセージ(ＳＬＰ−ＲＳＰ)を加入者端末１００に伝送する(ステップＳ１２５)。このとき、基地局２００は、加入者端末１００が選択したインデックス値の許容可否を、前記応答メッセージ(ＳＬＰ−ＲＳＰ)に含めて伝送する。
【００４７】
例えば、基地局２００は、加入者端末１００が選択したインデックス値が許容可能な場合、そのインデックス値を含んだ応答メッセージ(ＳＬＰ−ＲＳＰ)を伝送し、そうではない場合には、許容可能な他のインデックス値を含んだ応答メッセージ(ＳＬＰ−ＲＳＰ)を伝送する。
【００４８】
一方、応答メッセージを受信した加入者端末１００は、ステップＳ１１５で、基地局２００から受信された連結識別子(ＢＣＩＤ)によってスリープ開始時点を決定し、この連結識別子(ＢＣＩＤ)及びステップＳ１２５で受信したＳＬＰ−ＲＳＰに含まれているインデックス値を用いて、加入者端末１００のアウェイクフレーム(すなわち、リスニングポジション)を計算する(ステップＳ１３５)。
【００４９】
ステップＳ１３５で、加入者端末１００のアウェイクフレームを計算すれば、加入者端末１００は、現在フレームがステップＳ１３５で計算されたアウェイクフレームと同一であるか比較する(ステップＳ１４０)。現在フレームが、ステップＳ１３５で計算されたアウェイクフレームと同一であれば、加入者端末１００をアウェイクモードで動作させる。すなわち、加入者端末１００が目覚めてその加入者端末１００に伝達されるブロードキャスティングメッセージ(以下、ＴＲＦ−ＩＮＤメッセージと称する。)を確認するようにする。
【００５０】
ステップＳ１４０の比較結果、現在フレームがステップＳ１３５で計算されたアウェイクフレームと同一でなければ、加入者端末１００をスリープモードで動作させる(ステップＳ１５５)。
【００５１】
一方、ステップＳ１４５で、アウェイクモードで動作中の加入者端末１００が、基地局２００からＴＲＦ−ＩＮＤメッセージを受信すると、加入者端末１００は、そのＴＲＦ−ＩＮＤメッセージに加入者端末１００の連結識別子が含まれているか否かを確認する(ステップＳ１５０)。すなわち、ＴＲＦ−ＩＮＤメッセージがポジティブ・トラヒック・インディケーション(positive traffic indication)であるか否かを確認する。この確認結果(ステップＳ１５０)、受信されたＴＲＦ−ＩＮＤメッセージがポジティブ・トラヒック・インディケーションであれば、加入者端末１００は、アクティブモードへの状態遷移を遂行し(ステップＳ１６０)、そうでなければ、加入者端末１００は、再びスリープモードへ状態遷移する(ステップＳ１５５)。
【００５２】
ステップＳ１２５で加入者端末１００にＳＬＰ−ＲＳＰメッセージを伝送した基地局２００は、該当加入者端末１００の連結識別子(ＢＣＩＤ)及びＳＬＰ−ＲＳＰメッセージに含まれているインデックス値によって、加入者端末１００のリスニングポジションを決定する(ステップＳ１６５)。このとき、基地局１００は、下記の式２を用いてリスニングポジションを決定することが好ましい。
［式２］
Ｓｂ＊(ＳＩ＋１)＝ＦＮ ｍｏｄ(Ｆ＊(ＳＩ＋１))
【００５３】
ここで、‘Ｓｂ’は、対応する加入者端末に設定された連結識別子を示し、‘Ｆ’は、既に設定されたスリープ単位時間を示し、‘ＳＩ’は、インデックス値を示し、ＦＮ(２４bits)は、リスニングポジションに対応するフレーム番号を示す。ここで、式２は、ステップＳ１２５でも使用されることが好ましい。
【００５４】
そして、現在フレームが前記決定されたリスニングポジションになれば(ステップＳ１７０)、基地局２００は、加入者端末１００の連結識別子(ＢＣＩＤ)を含むＴＲＦ−ＩＮＤメッセージを生成した後に(ステップＳ１７５)、そのＴＲＦ−ＩＮＤメッセージを加入者端末１００に伝送する。
【００５５】
図５及び図６は、上述の処理過程を、基地局と加入者端末でそれぞれ処理するステップを示すフローチャートである。
【００５６】
図５は、本発明の一実施の形態に従ってスリープモードを制御するための基地局の処理過程を示すフローチャートである。図５を参照すると、本発明の一実施の形態に従ってスリープモードを制御すべく、基地局は、該当基地局に接続された加入者端末の連結識別子によるリスニンググループを初期化する(ステップＳ２０５)。このとき、リスニンググループを初期化するのは、加入者端末の連結識別子別スリープ開始時点を設定することを意味する。そして、加入者端末から接続要請があれば(ステップＳ２１０)、その加入者端末に連結識別子を与え(ステップＳ２１５)、加入者端末からスリープ要請メッセージが入力されると(ステップＳ２２０)、スリープを要請した加入者端末の連結識別子(ＢＣＩＤ)及びこの加入者端末が指定したインデックス値に基づいて該当加入者端末のリスニングポジションを決定する(ステップＳ２２５)。もし、この加入者端末が指定したインデックス値が不適切であれば、基地局は、この加入者端末に他のインデックス値を割り当て、そのインデックス値を用いて該当加入者端末のリスニングポジションを決定する。
【００５７】
そして、この決定されたリスニングポジションに対応する時間に、該当加入者端末へＴＲＦ−ＩＮＤメッセージを伝送する(ステップＳ２３０)。このステップＳ２３０は、スリープ状態の端末が存在する間に持続して繰り返し行う。そして、スリープ状態である端末が存在しなければ(ステップＳ２３５)、基地局は、既に接続されている加入者端末の中で新規にスリープを要請した端末があるか判断し(ステップＳ２４０)、新規にスリープを要請した端末があれば、ステップＳ２２５乃至Ｓ２３５を繰り返し行う。
【００５８】
図６は、本発明の一実施の形態に従ってスリープモードを制御するための加入者端末の処理過程を示すフローチャートである。図６を参照すると、本発明の一実施の形態に従ってスリープモードを制御するための加入者端末の処理過程は、次の通りである。
【００５９】
まず、加入者端末は、任意の１つの基地局に接続を要請し(ステップＳ３０５)、この応答として基地局から連結識別子(ＢＣＩＤ)を受信すると(ステップＳ３１０)、加入者端末の連結識別子(ＢＣＩＤ)を設定する(ステップＳ３１５)。続いて、スリープ周期を制御するために、既に設定されたインデックス値を指定してスリープを要請する(ステップＳ３２０)。すなわち、既に設定された所定数のインデックス値の中で任意の１つを指定してスリープを要請する。
【００６０】
このスリープ要請が基地局から承認されると(ステップＳ３２５)、加入者端末は、スリープモードへ状態遷移する(ステップＳ３３０)。その後、該当加入者端末の連結識別子(ＢＣＩＤ)及び基地局が承認したインデックス値(加入者端末が指定した値または基地局が指定した値)を用いて、その加入者端末のアウェイクフレーム(すなわち、リスニングポジション)を計算して貯蔵する(ステップＳ３３５)。このとき、加入者端末がアウェイクフレームを計算する方法は、式２に示した通りである。
【００６１】
続いて、現在フレームがこの計算されたアウェイクフレームであれば、加入者端末をアウェイクモードに状態遷移する(ステップＳ３４５)。以降のステップＳ３５０、Ｓ３５５、Ｓ３６０は、図５のステップＳ１５０、Ｓ１６０、Ｓ１５５と対応するステップであるので、その動作説明は省略される。
【００６２】
図７Ａ及び図７Ｂは、本発明の一実施の形態に従うスリープモード制御方法によってスリープモードが制御された例を示す図である。
【００６３】
図７Ａは、加入者端末の連結識別子(ＢＣＩＤ)が‘０ｘ０００１’であり、インデックス値が‘０’である場合を挙げている。
【００６４】
これらの値を式２に代入すれば、下記の式３が得られる。
［式３］
１=ＦＮ ｍｏｄ(２５６＊(０＋１))
【００６５】
従って、開始時点は‘１’であり、リスニングポジションは、２５６で除算して余りが‘１’となる数字の集合(すなわち、２５６の倍数＋１の数字)である。この例におけるリスニングポジションは、図７Ａに示す通りである。
【００６６】
図７Ｂは、加入者端末の連結識別子(ＢＣＩＤ)が‘０ｘ１００２’であり、インデックス値が‘１’である場合を挙げている。
【００６７】
これらの値を式２に代入すれば、下記の式４が得られる。
［式４］
４＝ＦＮ ｍｏｄ(２５６＊(１＋１))
【００６８】
従って、開始時点は‘４’であり、スリープ周期は、５１２で除算して余りが‘４’となる数字の集合である。この例におけるリスニングポジションは、図７Ｂに示す通りである。
【００６９】
結果的に、グループ識別子が同一な加入者端末のうち、同一のインデックス値が割り当てられた加入者端末は、スリープ開始時点が同一であり、そのリスニング周期が同一であるので、同一のリスニングポジションを有するようになる。
【００７０】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００７１】
【図１】ＩＥＥＥ８０２．１６ｅ通信システムで提案しているスリープモード制御方法についての概略的なフローチャートである。
【図２Ａ】ＩＥＥＥ８０２．１６ｅ通信システムにおいてスリープモードを制御するために基地局と端末との間に送受信されるメッセージフォーマットである。
【図２Ｂ】ＩＥＥＥ８０２．１６ｅ通信システムにおいてスリープモードを制御するために基地局と端末との間に送受信されるメッセージフォーマットである。
【図２Ｃ】ＩＥＥＥ８０２．１６ｅ通信システムにおいてスリープモードを制御するために基地局と端末との間に送受信されるメッセージフォーマットである。
【図２Ｄ】ＩＥＥＥ８０２．１６ｅ通信システムにおいてスリープモードを制御するために基地局と端末との間に送受信されるメッセージフォーマットである。
【図３】ＩＥＥＥ８０２．１６ｅ通信システムで提案しているスリープ区間アップデートアルゴリズムを説明するための図である。
【図４】本発明の一実施の形態に従ってスリープモードを制御するための基地局と端末との間における処理過程を示すフローチャートである。
【図５】本発明の一実施の形態に従ってスリープモードを制御するための基地局における処理過程を示すフローチャートである。
【図６】本発明の一実施の形態に従ってスリープモードを制御するための加入者端末における処理過程を示すフローチャートである。
【図７Ａ】本発明の一実施の形態に従うスリープモード制御方法によってスリープモードが制御された例を示す図である。
【図７Ｂ】本発明の一実施の形態に従うスリープモード制御方法によってスリープモードが制御された例を示す図である。
【図１】
2005080312.tif 000003
【図２Ａ】
2005080312.tif 000004
【図２Ｂ】
2005080312.tif 000005
【図２Ｃ】
2005080312.tif 000006
【図２Ｄ】
2005080312.tif 000007
【図３】
2005080312.tif 000008
【図４】
2005080312.tif 000009
【図５】
2005080312.tif 000010
【図６】
2005080312.tif 000011
【図７Ａ】
2005080312.tif 000012
【図７Ｂ】
2005080312.tif 000013